【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】  製品が複数の部品からアセンブルされ、各部品は少なくとも１つの変形体で利用可能である、製品を構成する方法において、
ユーザにユーザインターフェイスを通して前記複数の部品の第１の部品の第１の複数の変形体を提示し、
第１の複数の変形体から選択された第１の変形体の指示をユーザから受け取り、
ユーザにユーザインターフェイスを通して第１の変形体のグラフィック表現を提示するステップを含み、
ユーザにユーザインターフェイスを通して前記複数の部品の第２の部品の第２の複数の変形体を提示し、
第２の複数の変形体から選択された第２の変形体の指示をユーザから受け取り、
ユーザにユーザインターフェイスを通して第２の部品の第２の選択された変形体に対して予め定められた関係で第１の部品の第１の選択された変形体のグラフィック表現を提示するステップをさらに含むことを特徴とする方法。
【請求項２】  第１の部品の第１の変形体に対して予め定められた関係で第２の部品の第２の変形体の位置調整をグラフィック的に動画化するステップをさらに含むことを特徴とする請求項１記載の方法。
【請求項３】  第１の部品の第１の変形体に対して予め定められた関係で第２の部品の第２の変形体の位置調整を対話的に動画化するステップをさらに含み、対話的に動画化される位置調整はユーザコマンドにより制御されることを特徴とする請求項１または請求項２記載の方法。
【請求項４】  第２の部品の第２の変形体に対して予め定められた関係での第１の部品の第１の変形体のグラフィック表現は、第２の部品の第２の変形体に対して予め定められた関係での第１の部品の第１の変形体の３次元レンダリングであることを特徴とする請求項１ないし請求項３のいずれか１項記載の方法。
【請求項５】  ユーザコマンドに応答して、第２の部品の第２の変形体に対して予め定められた関係での第１の部品の第１の変形体の表示された表現を変更するステップをさらに含み、表示された表現の変更は、回転、フリップ、パンおよびズームを含む動作のクラスから選択された動作に対応することを特徴とする請求項１ないし請求項４のいずれか１項記載の方法。
【請求項６】  ユーザコマンドに応答して、第２の部品の第２の変形体に対して予め定められた関係での第１の部品の第１の変形体の表示された表現を動画化するステップをさらに含むことを特徴とする請求項１ないし請求項５のいずれか１項記載の方法。
【請求項７】  ユーザにユーザインターフェイスを通して、対応する第１または第２の部品の第１および第２の複数の変形体の選択された変形体を提示するステップは、提示される複数の変形体を、在庫品管理システムから受信した１組の在庫品データにより利用可能であるとして示された対応する第１または第２の複数の変形体のサブセットに制限するステップをさらに含むことを特徴とする請求項１ないし請求項６のいずれか１項記載の方法。
【請求項８】  生産管理システムに注文情報を送信するステップをさらに含み、注文情報は第１の部品の第１の変形体と第２の部品の第２の変形体とを識別する構成データを含むことを特徴とする請求項１ないし請求項７のいずれか１項記載の方法。
【請求項９】  複数の部品からアセンブリされる製品をカスタマイズするシステムにおいて、
前記複数の部品の第１の部品の第１の複数の変形体を提示するように構成された第１の表示手段と、
第１の複数の変形体から選択された第１の変形体の指示を受け取るように構成された第１の入力手段と、
第１の選択された変形体のグラフィック表現を提示するように構成された第２の表示手段とを具備し、
前記複数の部品の第２の部品の第２の複数の変形体を提示するように構成された第３の表示手段と、
第２の複数の変形体から選択された第２の変形体の指示を受け取るように構成された第２の入力手段とをさらに具備し、
第２の表示手段は、第２の部品の第２の選択された変形体に対して予め定められた関係で第１の部品の第１の選択された変形体のグラフィック表現を提示するように構成されていることを特徴とするシステム。
【請求項１０】  第１の部品の第１の変形体に対して予め定められた関係で第２の部品の第２の変形体の位置調整のグラフィック動画を発生させるように構成された第１の処理手段をさらに具備することを特徴とする請求項９記載のシステム。
【請求項１１】  グラフィック動画を制御するためのユーザコマンドを受け取るように構成された第３の入力手段をさらに具備することを特徴とする請求項１０記載のシステム。
【請求項１２】  第２の部品の第２の変形体に対して予め定められた関係での第１の部品の第１の変形体のグラフィック表現は、第２の部品の第２の変形体に対して予め定められた関係での第１の部品の第１の変形体の３次元レンダリングであることを特徴とする請求項９ないし請求項１１のいずれか１項記載のシステム。
【請求項１３】  回転、フリップ、パンおよびズームを含む動作のクラスから選択された動作に対応するユーザコマンドを受け取るように構成された第４の入力手段とを具備し、第２の表示手段は、受信ユーザコマンドに応答して、第２の部品の第２の変形体に対して予め定められた関係での第１の部品の第１の変形体の表示された表現を変更するように構成されていることを特徴とする請求項９ないし請求項１２のいずれか１項記載のシステム。
【請求項１４】  ユーザコマンドに応答して、第２の部品の第２の変形体に対して予め定められた関係での第１の部品の第１の変形体の表示された表現の動画を発生させるように構成された第２の処理手段をさらに具備することを特徴とする請求項９ないし請求項１３のいずれか１項記載のシステム。
【請求項１５】  第１および第２の表示手段の選択された表示手段は、提示される対応する第１または第２の複数の変形体を、在庫品管理システムから受信した１組の在庫品データにより利用可能であるとして示された対応する第１または第２の複数の変形体のサブセットに制限するように構成されていることを特徴とする請求項９ないし請求項１４のいずれか１項記載のシステム。
【請求項１６】  生産管理システムに注文情報を送信するように構成された送信手段をさらに具備し、注文情報は第１の部品の第１の変形体と第２の部品の第２の変形体とを識別する構成データを含むことを特徴とする請求項９ないし請求項１５のいずれか１項記載のシステム。
【請求項１７】  製品は予め生産された部品からアセンブルされ、
ビルドトゥーオーダアセンブリシステムにおける請求項１ないし請求項８のいずれか１項記載の方法の使用。
【請求項１８】  医療応用デバイスをカスタマイズするために請求項１ないし請求項８のいずれか１項記載の方法の使用。
【請求項１９】  コンピュータに、請求項１ないし請求項８のいずれか１項記載のすべてのステップを実行させるコンピュータプログラム。
【請求項２０】  コンピュータプログラム製品がコンピュータ上で実行されるときに、請求項１ないし請求項８のいずれか１項の方法を実行するコンピュータ読み取り可能な媒体上に記憶されるプログラムコード手段を具備するコンピュータプログラム製品。
【請求項２１】  プログラムがコンピュータ上で実行されるときに、請求項１ないし請求項８のいずれか１項のすべてのステップを実行するプログラムコード手段を具備する、搬送波中に組み入れられたコンピュータデータ信号。